(57)【要約】【課題】いかなる対象物を吊り上げる場合でも容易にバランスをとりつつ吊り上げ作業を行える繊維スリングの提供を目的とする。【解決手段】繊維スリング１０は、対象物Ｗの吊り上げ作業用の機械器具が備える吊り具Ｆに係合させて使用するものであって、長手方向両端部に設けられた端部アイ部２０，２２と、長手方向中間部に設けられた中間アイ部３０とを有する。端部アイ部２０，２２は、対象物Ｗに対して係合可能なものであり、中間アイ部３０が、長手方向に複数設けられており、それぞれ吊り具Ｆに対して係合可能な大きさに開口している。複数設けられた中間アイ部３０から任意に選択されたものに対して吊り具Ｆを係合させると共に、端部アイ部２０，２２に対象物Ｗを係合させることにより、対象物Ｗを吊り上げることができる。【選択図】図１
2019011166.tif 000002
【特許請求の範囲】
【請求項１】
対象物の吊り上げ作業用の機械器具が備える吊り具に係合させて使用する繊維スリングであって、
長手方向両端部に設けられた端部アイ部と、
長手方向中間部に設けられた中間アイ部とを有し、
前記端部アイ部が、前記対象物に対して係合可能なものであり、
前記中間アイ部が、長手方向に複数設けられており、それぞれ前記吊り具に対して係合可能な大きさに開口しており、
複数設けられた前記中間アイ部から任意に選択されたものに対して前記吊り具を係合させると共に、前記端部アイ部に前記対象物を係合させることにより、前記対象物を吊り上げ可能であることを特徴とする繊維スリング。
【請求項２】
複数設けられた前記中間アイ部が、それぞれ互いに係合することなく独立していることを特徴とする請求項１に記載の繊維スリング。
【請求項３】
複数の前記中間アイ部のうちの一つが、長手方向中央部に設けられていることを特徴とする請求項１又は２に記載の繊維スリング。
【請求項４】
前記中間アイ部が奇数箇所に設けられており、長手方向中央部を境として一方、及び他方の双方に前記中間アイ部が均等に設けられていることを特徴とする請求項３に記載の繊維スリング。
【請求項５】
繊維により形成された帯状体により形成されたものであり、
複数設けられた前記中間アイ部のそれぞれの間に、帯状体を重ね合わせて縫製した中間部が設けられていることを特徴とする請求項１〜４のいずれかに記載の繊維スリング。
【請求項６】
長手方向一端側及び他端側に設けられた前記端部アイ部のそれぞれに前記対象物を係合させると共に、複数設けられた前記中間アイ部から前記対象物の重心位置に基づいて選択されたものに前記吊り具を係合させることにより、目掛けによる玉掛作業を行えることを特徴とする請求項１〜５のいずれかに記載の繊維スリング。
【発明の詳細な説明】
【技術分野】
【０００１】
対象物を吊り上げたり移動させたりするために用いられる繊維スリングに関する。
【背景技術】
【０００２】
建築用資材や搬送物等の様々な対象物を吊り上げたり移動させたりする場合に、繊維スリングが用いられる。
【０００３】
スリングには、布や樹脂等の帯からなる帯スリングや、金属等のチェーンからなるチェーンスリングがある。帯スリングは、布や樹脂等の帯の端部を折り返して、両端部に環状の環状部を形成するものである。チェーンスリングは、チェーンの一端部に対象物を固定するための固定部を設けると共に、チェーンの他端部に環状部を設けるものである。一般的に、金属からなるチェーンスリングの場合、強度を確保しようとすると重量が重くなりすぎる。また、帯スリングは軽量であり、荷重強度を高めてもチェーンスリングに比べて重量が軽くなる。そのため、重量の重い対象物に用いる場合には、帯スリングが用いられる。
【０００４】
これらのスリングを用いて、例えばクレーンを用いて対象物を吊り上げる場合、複数のスリングが用いられる。チェーンスリングを用いる場合、各スリングの固定部を対象物に固定し、環状部をクレーンのフックに懸化させる。各スリングは、吊り上げられた際に対象物のバランスが良くなる位置に設けられる。例えば、２本のスリングが用いられる場合は、対象物における対称となる位置にスリングが固定される。４本のスリングを用いて直方体状の対象物を吊り上げる場合は、対象物の平面における四隅の近傍に各スリングが固定される。
【０００５】
また、帯スリングを用いる場合、各スリングの一方の環状部を対象物に固定し、他方の環状部をクレーンのフックに懸化させる。各スリングは、吊り上げられた際に対象物のバランスが良くなる位置に設けられる。チェーンスリングの場合と同様に、例えば、２本のスリングが用いられる場合は、対象物における対称となる位置にスリングが固定される。４本のスリングを用いて直方体状の対象物を吊り上げる場合は、対象物の平面における四隅の近傍に各スリングが固定される。このように、対象物を複数のスリングを用いて吊り上げた状態で、クレーンを用いて対象物を移動させる。
【先行技術文献】
【特許文献】
【０００６】
【特許文献１】特表２００９−５１１３８１号公報
【発明の概要】
【発明が解決しようとする課題】
【０００７】
しかしながら、従来のスリングでは、吊り上げた際に対象物のバランスがくずれ、対象物を安定的に吊り上げることができない場合があった。
【０００８】
通常、様々な長さのスリングが用意され、対象物のバランスがくずれる状況では、長さの異なる複数のスリングから使用するスリングを選択することにより、模索的にバランスが良好となるスリングを選択して使用していた。そのため、様々な対象物を良好なバランスで吊り上げるためには、長さの異なる多種類のスリングを用意しておく必要がある。一般的には用意できるスリングには制限が有り、特にバランスを取りにくい対象物では、長さの異なるスリングを用いて対象物のバランスを取ることが困難であるという問題点があった。また、バランスを取るために、使用するスリングを順次入れ替えて、模索的にバランスを取るが、その都度、固定に用いたスリングを外し、異なる長さのスリングに入れ替える必要があるため、バランスの調整に手間がかかるという問題点があった。
【０００９】
本発明は、上記問題点を解決するために、対象物を固定する際に、容易にバランスをとれる繊維スリングの提供を目的とする。
【課題を解決するための手段】
【００１０】
上述した課題を解決すべく提供される本発明の繊維スリングは、対象物の吊り上げ作業用の機械器具が備える吊り具に係合させて使用するものであって、長手方向両端部に設けられた端部アイ部と、長手方向中間部に設けられた中間アイ部とを有し、前記端部アイ部が、前記対象物に対して係合可能なものであり、前記中間アイ部が、長手方向に複数設けられており、それぞれ前記吊り具に対して係合可能な大きさに開口しており、複数設けられた前記中間アイ部から任意に選択されたものに対して前記吊り具を係合させると共に、前記端部アイ部に前記対象物を係合させることにより、前記対象物を吊り上げ可能なものである。
【００１１】
本発明の繊維スリングは、吊り上げ作業用の機械器具（以下、「荷役機械器具」とも称す）の吊り具を係合させるための部分として、長手方向中間部に設けられた複数の中間アイ部のうち任意のものを選択することができる。そのため、本発明の繊維スリングによれば、吊り具を係合させる中間アイ部を選択するだけで、吊り具から対象物までの長さを吊り上げ作業の対象物の大きさやバランス等の特性に合わせて適切な長さに調整することができる。従って、本発明の繊維スリングを用いれば、従来技術のように様々な長さのスリングを用意して吊り上げ対象物のバランスを取るのに四苦八苦することなく、容易にバランスを取りつつ吊り上げ作業を実施可能となる。
【００１２】
上述した本発明の繊維スリングは、複数設けられた前記中間アイ部が、それぞれ互いに係合することなく独立しているものであること好ましい。
【００１３】
本発明の繊維スリングは、いわゆるチェーンのように環状の中間アイ部をつなぎ合わせた構成としたものとは違い、各中間アイ部が独立している。そのため、本発明の繊維スリングにおいては、対象物の吊り下げ時などに中間アイ部同士が擦れ合う等して摩耗することがない。従って、本発明の繊維スリングは、高強度であり、チェーンを利用したものに比べて格段に高い耐荷重性を有する。
【００１４】
上述した本発明の繊維スリングは、複数の前記中間アイ部のうちの一つが、長手方向中央部に設けられているものであることが望ましい。
【００１５】
本発明の繊維スリングは、複数設けられた中間アイ部のうちの一つが長手方向中央部に設けられている。そのため、バランスの取れた対象物を吊り上げる場合には、前述した中央にある中間アイ部に吊り具を係合させることにより、バランス良く吊り上げることができる。また、他の中間アイ部は、長手方向中央を外れた位置に設けられている。そのため、バランスの良くない対象物を吊り下げる場合には、重心を考慮しつつ中央にある中間アイ部以外の中間アイ部に吊り具を係合させることにより、バランス良く対象物を吊り上げることができる。
【００１６】
上述した本発明の繊維スリングは、前記中間アイ部が奇数箇所に設けられており、長手方向中央部を境として一方、及び他方の双方に前記中間アイ部が均等に設けられていることが好ましい。
【００１７】
本発明のように、長手方向中央部を境として一方、及び他方の双方に中間アイ部が均等に設けることにより、バランスの良くない対象物を吊り下げる場合でも、バランス良く吊り上げるのに適した中間アイ部を容易かつ適切に選択して吊り上げることができる。
【００１８】
上述した本発明の繊維スリングは、繊維により形成された帯状体により形成されたものであり、複数設けられた前記中間アイ部のそれぞれの間に、帯状体を重ね合わせて縫製した中間部が設けられたものであることが望ましい。
【００１９】
本発明の繊維スリングは、複数設けられた中間アイ部のそれぞれの間に中間部が設けられているため、強度が高い。すなわち、本発明の繊維スリングは、チェーンのように環状の中間アイ部をつなぎ合わせた構成としたものとは違い、中間部を設けることにより各中間アイ部が独立した構成とされている。そのため、本発明の繊維スリングにおいては、対象物の吊り下げ時などに中間アイ部同士が擦れ合う等して摩耗することがない。また、中間部においては、帯状体を多重とし、縫製により一体化することで高強度化が図られている。従って、本発明の繊維スリングは、チェーンを利用したものとは比べものにならない程度に高強度であり、高い耐荷重性を有する。
【００２０】
上述した本発明の繊維スリングは、長手方向一端側及び他端側に設けられた前記端部アイ部のそれぞれに前記対象物を係合させると共に、複数設けられた前記中間アイ部から前記対象物の重心位置に基づいて選択されたものに前記吊り具を係合させることにより、目掛けによる玉掛作業を行えるものであることが好ましい。
【００２１】
かかる構成によれば、従来技術においていわゆる二本吊りの手法により玉掛作業を行っていたものを、一本の繊維スリングで行うことができる。それだけでなく、従来技術において長さの異なるスリングを複数用いる等してもバランスを取るのが難しかったような吊り上げ対象物であったとしても、簡単にバランスの取れた状態で吊り上げることができる。具体的には、本発明の繊維スリングは、長手方向両端に設けられた端部アイ部をそれぞれ対象物を係合させると共に、複数設けられた中間アイ部から対象物の重心位置に基づいてバランスの取れる位置にあるものを選択し、選択された中間アイ部に吊り具を係合させることで、バランスの取れた状態で対象物を吊り上げることができる。
【発明の効果】
【００２２】
本発明は、複数の吊部が設けられ、固定部で対象物を固定した状態で、良好なバランスを保てるように、懸下に用いる吊部を複数の吊部から適宜選択することにより、対象物を固定して吊り下げる際に、容易にバランスをとることができる。
【図面の簡単な説明】
【００２３】
【図１】本発明の一実施形態である繊維スリングの構成を示した正面図である。
【図２】図１に示した繊維スリングの使用状態の一例を示した説明図である。
【発明を実施するための形態】
【００２４】
以下、本発明の一実施形態に係る繊維スリング１０について、図面を参照しつつ詳細に説明する。繊維スリング１０は、建築用資材や搬送物等の様々な対象物Ｗをクレーン等の作業用の機械器具（以下、「荷役機械器具」とも称す）によって吊り上げて移動させる、いわゆる玉掛作業に使用できる。具体的には、繊維スリング１０を対象物Ｗに取り付けつつ、繊維スリング１０を荷役機械器具に設けられたフック等（以下、「吊り具Ｆ」とも称す）に係合させ、対象物Ｗを吊り上げて移動させる作業に使用できる。
【００２５】
繊維スリング１０は、繊維を用いて形成された帯状体から構成されている。帯状体は、例えば、樹脂からなる化学繊維や金属性の繊維、布等の各種繊維からなり、それらを組み合わせた繊維でも良い。また、強度を確保するためや耐久性を向上させるために、各種のコーティングが施されていても良い。また、対象物を吊り上げる際の強度を確保するために積層構造としても良い。また、帯状体の幅および厚さは、固定する対象物の重量等に応じて、強度が十分に確保できるように任意に設定できる。
【００２６】
図１に示すように、繊維スリング１０は、上述したような帯状体を用いて両端部に端部アイ部２０，２２を形成すると共に、複数（本実施形態では奇数）の中間アイ部３０が設けられている。具体的には、本実施形態では、７個の中間アイ部３０ａ，３０ｂ，３０ｃ，３０ｄ，３０ｅ，３０ｆ，３０ｇが設けられている。また、両端側にあるアイ部３０ａ，３０ｇと端部アイ部２０，２２との間、及び各中間アイ部３０ａ〜３０ｆの間には、中間部４０（中間部）が複数（本実施形態では、８つの中間部４０ａ，４０ｂ，４０ｃ，４０ｄ，４０ｅ，４０ｆ，４０ｇ，４０ｈ）設けられている。
【００２７】
端部アイ部２０，２２は、それぞれ繊維スリング１０の長手方向両端部に設けられている。端部アイ部２０，２２は、上述した帯状体を環状になるように加工を施した部分である。繊維スリング１０は、端部アイ部２０，２２を対象物Ｗ側に設けられた吊り手などに掛けるなどすることにより、対象物Ｗに係合させることができる。
【００２８】
中間アイ部３０ａ〜３０ｇは、繊維スリング１０の長手方向中間部に設けられている。中間アイ部３０ａ〜３０ｇは、それぞれ環状であり、吊り具Ｆに対して係合可能な大きさに開口している。また、中間アイ部３０ａ〜３０ｇは、それぞれ互いに係合することなく独立（離反）している。すなわち、中間アイ部３０ａ〜３０ｇは、従来公知のチェーンのように互いに連なったものではなく、中間部４０を介して独立している。
【００２９】
また、中間アイ部３０ａ〜３０ｇのうちの一つ（本実施形態では中間アイ部３０ｄ）は、繊維スリング１０の長手方向中央部に設けられている。また、中間アイ部３０ｄを境として繊維スリング１０の長手方向一方側には、中間アイ部３０が均等配置されている。具体的には、中央にある中間アイ部３０ｄを境として端部アイ部２０側には中間アイ部３０ａ，３０ｂ，３０ｃが設けられ、端部アイ部２２側には中間アイ部３０ｅ，３０ｆ，３０ｇが設けられている。
【００３０】
中間部４０ａ〜４０ｈは、複数設けられた中間アイ部３０ａ〜３０ｇの間、及び中間アイ部３０ａ，３０ｇと端部アイ部２０，２２との間に設けられている。中間部４０ａ〜４０ｈは、繊維スリング１０をなす帯状体が重ね合わせられ、一体化された多層構造とされている。中間部４０ａ〜４０ｈにおいて、帯状体は縫製や接着剤による接合、熱圧着、またはこれらの組み合わせ等により接合される。本実施形態では、帯状体を重ね合わせたものを縫製することにより、中間部４０ａ〜４０ｈが形成されている。
【００３１】
続いて、繊維スリング１０の使用方法について説明する。繊維スリング１０は、対象物Ｗ、及び吊り上げ作業に用いるクレーン等の機械器具（荷役機械器具）が備えているフック等の吊り具Ｆに係合させて使用される。具体的には、繊維スリング１０は、端部アイ部２０，２２をそれぞれ対象物Ｗ側に係合させた状態で使用される。対象物Ｗに吊り手等、端部アイ部２０，２２を係合可能な部分が設けられている場合には、これに端部アイ部２０，２２を係合させる。また、対象物Ｗにクランプ等を取り付ける場合には、クランプ等に対して端部アイ部２０，２２を係合させる。
【００３２】
上述したようにして端部アイ部２０，２２を対象物Ｗに係合させる一方、複数設けられた中間アイ部３０ａ〜３０ｇから任意に選択したものに吊り具Ｆを係合させる。ここで、中間アイ部３０ａ〜３０ｇから吊り具Ｆを係合させるものは、対象物Ｗの重心位置に基づいて選択することができる。
【００３３】
例えば、図２（ａ）に示す対象物Ｗのように、端部アイ部２０，２２の係合位置の略中央部を通る位置に重心Ｇが存在するものを吊り上げる場合には、長手方向中央にある中間アイ部３０ｄに吊り具Ｆを係合させることにより、対象物Ｗをバランス良く略真っ直ぐに吊り上げることができる。
【００３４】
これに対し、図２（ｂ）に示す非対称な形状の対象物のように、端部アイ部２０，２２の係合位置の略中央部を通る位置から外れた位置に重心Ｇが存在するものを吊り上げる場合には、長手方向中央の中間アイ部３０ｄを選択するのではなく、重心Ｇの偏りを考慮して中間アイ部３０ｄを外れた位置にある中間アイ部３０ａ〜３０ｃあるいは中間アイ部３０ｅ〜３０ｇに吊り具Ｆを係合させる。具体的には、図２（ｂ）に示す状態において、重心が対象物Ｗの中心から少し左側にずれた中間アイ部３０ｂに相当する位置にある場合には、中間アイ部３０ｂに吊り具Ｆを係合させる。このようにすることで、重心Ｇが中央を外れた対象物Ｗを吊り上げる場合でも、対象物Ｗをバランス良く略真っ直ぐに吊り上げることができる。
【００３５】
上述したように、本実施形態の繊維スリング１０は、長手方向中間部に設けられた複数の中間アイ部３０のうち任意のものを選択して吊り具Ｆを係合させることができる。そのため、吊り具Ｆを係合させる中間アイ部３０を適宜選択するだけで、吊り具Ｆから対象物Ｗまでの長さを適切な長さに調整することができる。従って、繊維スリング１０を用いれば、容易にバランスを取りつつ吊り上げ作業を実施可能となる。
【００３６】
本実施形態の繊維スリング１０は、いわゆるチェーンのように環状の中間アイ部３０をつなぎ合わせた構成としたものとは違い、各中間アイ部３０が独立している。そのため、繊維スリング１０を用いて対象物Ｗの吊り下げ作業を行っても、中間アイ部３０同士が擦れ合って摩耗したり破損する等の不具合が生じない。従って、繊維スリング１０は、高強度かつ高い耐荷重性を有する。
【００３７】
なお、本実施形態では、各中間アイ部３０の間に中間部４０を設けることにより、各中間アイ部３０を独立的に設けた例を示したが、本発明はこれに限定されるものではない。具体的には、中間部４０に代えて、あるいは中間部４０に加えて他の部材を設けた構成としても良い。また、各中間アイ部３０を構成する輪をチェーンのようにつなぎ合わせた構成としても良い。なお、各中間アイ部３０をチェーン状につなぎ合わせる場合には、中間アイ部３０同士の摩擦による損傷等の問題を抑制するため、例えば摩擦が想定される箇所等に摩擦に強い素材を用いる等して前述した問題への対策を講じることが望ましい。
【００３８】
本発明の繊維スリング１０は、中間アイ部３０ｄが長手方向中央部に設けられている。そのため、バランスの取れた対象物を吊り上げる場合には、中間アイ部３０ｄに吊り具Ｆを係合させることにより、バランス良く吊り上げることができる。また、他の中間アイ部３０ａ〜３０ｃ，３０ｅ〜３０ｇは、それぞれ長手方向中央を外れた位置に設けられている。また、繊維スリング１０においては、中間アイ部３０が奇数箇所に設けられており、中間アイ部３０ｄを境として長手方向一方、及び他方の双方に中間アイ部３０ａ〜３０ｃ，３０ｅ〜３０ｇが均等配置されている。そのため、バランスの良くない対象物を吊り下げる場合には、中央にある中間アイ部３０ｄ以外のものにバランスを考慮しつつ吊り具Ｆを係合させることにより、対象物Ｗを適切に吊り上げることができる。
【００３９】
なお、上述したように繊維スリング１０は、長手方向略中央部に中間アイ部３０（中間アイ部３０ｄ）を設けたものであることが好ましいが、本発明はこれに限定されるものではない。具体的には、繊維スリング１０の略中央部に中間アイ部３０を設けない構成としたり、中間アイ部３０に代えた他の吊り具Ｆを係合可能なものを設けた構成としても良い。また、本実施形態では、中間アイ部３０を奇数箇所に設けた例を示したが、本発明はこれに限定されるものではなく、偶数箇所に設けられたものであっても良い。さらに、本実施形態では、長手方向略中央部に設けた中間アイ部３０（中間アイ部３０ｄ）を境として、長手方向一方側及び他方側に中間アイ部３０を略均等（略対称）に配置した例を示したが本発明はこれに限定されるものではなく、不均等（非対称）に配置したものであっても良い。
【００４０】
また、本実施形態では、略中央にある中間アイ部３０（本実施形態では中間アイ部３０ｄ）を他のものと同一の外観とした例を示したが、本発明はこれに限定されるものではない。例えば、略中央にある中間アイ部３０を他のものとは異なる色や形、素材等で形成したり、何らかの印等を付けた構成としても良い。このようにすることで、略中央にある中間アイ部３０がどれかを作業者が容易に判別でき、いずれの中間アイ部３０に吊り具Ｆを係合させるべきか容易に決定できる。
【００４１】
繊維スリング１０は、複数設けられた中間アイ部３０のそれぞれの間に中間部４０が設けられているため、強度が高い。従って、繊維スリング１０は、チェーンを利用したもの等とは比べものにならない程度に高強度であり、高い耐荷重性を有する。
【００４２】
本実施形態の繊維スリング１０は、長手方向一端側及び他端側に設けられた端部アイ部２０，２２のそれぞれに対象物Ｗを係合させると共に、複数設けられた中間アイ部３０から対象物Ｗの重心位置に基づいて選択されたものに吊り具Ｆを係合させることにより、目掛けによる玉掛作業を行えるものである。そのため、繊維スリング１０によれば、従来技術において二本吊りの手法により玉掛作業を行っていたものを、一本の繊維スリング１０で行うことができる。さらに、従来技術において長さの異なるスリングを複数用いる等してもバランスを取るのが難しかったような吊り上げ対象物Ｗであったとしても、簡単にバランスの取れた状態で吊り上げることができる。
【００４３】
なお、本実施形態では、長手方向一端側及び他端側に設けられた端部アイ部２０，２２のそれぞれに対象物Ｗを係合させ、中間アイ部３０のうち一つに吊り具Ｆを係合させる方法により繊維スリング１０を使用する例を好適な使用例として例示したが、本発明はこれに限定されるものではない。従来技術における繊維スリングと同様に、端部アイ部２０，２２のうち一方に吊り具Ｆを係合させ、他方に対象物Ｗを係合させて使用することができるのは言うまでもない。また、端部アイ部２０，２２のうち一方に吊り具Ｆを係合させ、複数ある中間アイ部３０のうちの一つに対象物Ｗを係合させて使用しても良い。
【産業上の利用可能性】
【００４４】
本発明の繊維スリングは、建設現場等においてクレーン等の荷役機械器具により吊り上げ対象物を吊り上げるために有効に利用できる。
【符号の説明】
【００４５】
１０  繊維スリング
２０  端部アイ部
２２  端部アイ部
３０  中間アイ部
Ｆ  吊り具
Ｗ  対象物
【図１】
2019011166.tif 000003
【図２】
2019011166.tif 000004